(57)【要約】【課題】印刷装置において、簡素な構成で用紙を排紙台に整然と積載する。【解決手段】印刷装置１は、装置筐体と、この装置筐体から排出された用紙の落下位置に配置される排紙台１１と、装置筐体から排出された用紙の飛翔経路の上方に配置され、用紙の浮き上がりを防止するガイド（第２のガイド１５，１６及び第３のガイド１７，１８）とを備える。【選択図】図２
2019131303.tif 000002
【特許請求の範囲】
【請求項１】
装置筐体と、
前記装置筐体から排出された用紙の落下位置に配置される排紙台と、
前記装置筐体から排出された前記用紙の飛翔経路の上方に配置され、前記用紙の浮き上がりを防止するガイドと
を備えることを特徴とする印刷装置。
【請求項２】
前記ガイドは、前記用紙の浮き上がりを防止する第１の位置と、当該第１の位置から退避した第２の位置と、に移動可能に配置されている
ことを特徴とする請求項１記載の印刷装置。
【請求項３】
前記飛翔経路に直交する用紙幅方向における前記用紙の位置を規制するサイドフェンスを更に備え、
前記ガイドは、前記サイドフェンスに設けられている
ことを特徴とする請求項１又は２記載の印刷装置。
【請求項４】
前記ガイドは、前記用紙に点接触可能に配置されたスターホイルを有する
ことを特徴とする請求項１から３のいずれか１項記載の印刷装置。
【発明の詳細な説明】
【技術分野】
【０００１】
本発明は、排紙台を備える印刷装置に関する。
【背景技術】
【０００２】
従来、印刷装置の装置筐体内の用紙排出口近傍に設けられ、用紙の後端側を下方に押し下げる羽根状部材を備える排紙装置が提案されている（例えば、特許文献１参照）。
【０００３】
また、排紙台に積載された用紙の上方に配置され、気流の吹き付けによって用紙を下方に押し下げる排紙装置が提案されている（例えば、特許文献２参照）。
【０００４】
なお、排紙装置ではなく、シートの搬送方向を切り替えるためのシート搬送切替装置に関するものであるが、シートを押圧して落下させるフラッパを備えるシート搬送切替装置が提案されている（例えば、特許文献３参照）。
【先行技術文献】
【特許文献】
【０００５】
【特許文献１】特開２０１２−６２１５６号公報
【特許文献２】特開２００４−２１７３５９号公報
【特許文献３】特開２００７−３９１５０号公報
【発明の概要】
【発明が解決しようとする課題】
【０００６】
ところで、印刷装置の装置筐体から高速で排出される用紙は、安定して飛翔させるために、用紙幅方向における中心が両端よりも下方に位置するＵ字形状に湾曲するようにクセづけされることがある。
【０００７】
しかしながら、上記のようにＵ字形状に湾曲した用紙であっても、用紙の飛翔経路には空気抵抗があるため、空調などの外気の気流（外乱風）、用紙のカールの状態、サイドフェンスの位置不良、高速排紙などによって、用紙が浮いてしまい、落下するまでの間に時間を要することがある。用紙が落下するまでの間に時間を要すると、後に排出される用紙の前端が、先に排出される用紙の後端に追突することによって、用紙が散乱し用紙が整然と積載されなくなったり、或いは、ジャムとなって印刷が停止したりすることがある。
【０００８】
排紙台（エンドフェンス）を排出口から遠ざけて用紙がエンドフェンスに追突するまでの時間を増やすことで用紙間の追突を防止する方法が考えられるが、印刷装置のサイズや排紙積載部の設置面積が大きくなるとともに、外気の気流の影響を受けやすくなることで用紙が整然と積載されにくくなる。
【０００９】
上述の、羽根状部材を備える排紙装置、気流の吹き付けによって用紙を下方に押し下げる排紙装置、及びフラッパを備えるシート搬送切替装置は、いずれも駆動制御装置が必須となるため、装置の大型化やコストアップを招く。
【００１０】
更には、羽根状部材を備える上述の排紙装置は、用紙の後端側を下方に押し付けるため、用紙の前端側が浮き上がることで、エンドフェンスへの用紙の寄りかかりやフェンスからのすり抜けが生じ、用紙が整然と積載されなくなる。なお、複数枚の用紙が連続的にフェンスからすり抜け、印刷装置の外部に飛散してしまうこともある。
【００１１】
また、気流の吹き付けによって用紙を下方に押し下げる上述の排紙装置は、ファン装置等が排紙台の上方に位置するため、用紙の取り出しの際にファン装置等の脱着が必要となり、操作性が悪い。また、ファン装置等の調整も困難である。
【００１２】
なお、フラッパを備える上述のシート搬送切替装置は、シートの搬送方向を切り替えるためのシート搬送切替装置であるため、用紙を排紙台に整然と積載することができるものではないが、フラッパがシートを押圧して落下させるため、用紙の印刷画像を汚すおそれもある。
【００１３】
本発明の目的は、簡素な構成で用紙を排紙台に整然と積載することができる印刷装置を提供することである。
【課題を解決するための手段】
【００１４】
１つの態様では、印刷装置は、装置筐体と、前記装置筐体から排出された用紙の落下位置に配置される排紙台と、前記装置筐体から排出された前記用紙の飛翔経路の上方に配置され、前記用紙の浮き上がりを防止するガイドとを備える。
【発明の効果】
【００１５】
前記態様によれば、簡素な構成で用紙を排紙台に整然と積載することができる。
【図面の簡単な説明】
【００１６】
【図１】印刷装置を模式的に示す図である。
【図２】排紙積載部を示す斜視図である。
【図３】排紙方向の反対側から見た第１のガイドの説明図である。
【図４】排紙方向の反対側から見た第２（第３）のガイドの説明図である。
【発明を実施するための形態】
【００１７】
以下、本発明の一実施の形態に係る印刷装置について、図面を参照しながら説明する。
図１は、印刷装置１を模式的に示す図である。
【００１８】
図１に示すように、印刷装置１は、装置筐体２と、給紙部３と、搬送部４と、印刷部５と、操作パネル部６と、画像読取部７と、制御部８と、ウイング９と、排紙積載部１０と、第１のガイド２１，２２とを備える。なお、印刷装置１は、例えば、インクジェット印刷装置、孔版印刷装置などであるが、その他の印刷装置であってもよい。
【００１９】
装置筐体２は、搬送部４、印刷部５等を収容する。なお、装置筐体２の図１における左側面の排紙積載部１０の上方には、図３に示す後述する１対の第１のガイド２１，２２が上下左右にスライド可能に配置されている。
【００２０】
給紙部３は、給紙台３ａ及び給紙ローラ３ｂを有する。給紙台３ａには、印刷前の用紙Ｐが積載される。給紙ローラ３ｂは、給紙台３ａに積載された用紙Ｐのうち最上部に位置する用紙Ｐを繰り出すスクレーパローラ、及びこのスクレーパローラによって繰り出された用紙Ｐを搬送するピックアップローラを含む。
【００２１】
搬送部４は、給紙ローラ３ｂによって給紙された用紙Ｐを搬送する。搬送部４は、ベルト、ローラなどである。
【００２２】
印刷部５は、印刷装置１がインクジェット印刷装置である場合には、複数のインクジェットヘッドを有する。また、印刷部５は、印刷装置１が孔版印刷装置である場合には、孔版原紙（マスタ）の製版を行う製版部、孔版原紙が巻きつけられて回転し用紙Ｐが押し付けられる版胴、使用済みの孔版原紙を収容する排版部などを有する。
【００２３】
操作パネル部６は、装置筐体２の上部に配置されている。操作パネル部６は、印刷装置１の各種操作を行うための操作キーを有することで、印刷装置１の入力部として機能する。また、操作パネル部３は、タッチパネル付きのディスプレイを有する場合には、印刷装置１の入力部及び表示部として機能する。
【００２４】
画像読取部７は、装置筐体２の上部に配置されている。画像読取部７は、原稿から画像情報を読み取るスキャナを有する。
【００２５】
制御部８は、印刷装置１全体の動作を制御する演算処理装置として機能するプロセッサ（例えばＣＰＵ： Central Processing Unit）と、記憶部とを有する。この記憶部は、例えば、ＲＯＭ（Read only memory）、ＲＡＭ（Random Access Memory）、ハードディスク装置等である。
【００２６】
ウイング９は、用紙幅方向における中心が両端よりも下方に位置するＵ字のガイド面を有し、装置筐体２内の用紙Ｐの排出口に位置する。そのため、装置筐体２から排出される直前の用紙Ｐは、ウイング９によってガイドされることで、Ｕ字形状に湾曲するようにクセづけされる。
【００２７】
図２は、排紙積載部１０を示す斜視図である。
図２に示すように、排紙積載部１０は、排紙台１１と、１対のサイドフェンス１２，１３と、エンドフェンス１４と、１対の第２のガイド１５，１６と、１対の第３のガイド１７，１８と、２対の用紙揃え部１９とを有する。一例ではあるが、排紙積載部１０は、装置筐体２の内部に収容された状態から装置筐体２の外部へ引き出されて使用される。
【００２８】
排紙台１１は、装置筐体２から排出された用紙Ｐの落下位置に配置される。排紙台１１の上面である積載面は、用紙幅方向における両端が中心よりも上方に位置する。そのため、用紙Ｐは、用紙幅方向における両端が中心よりも上方に位置するＵ字形状に湾曲した状態で、排紙台１１に積載される。
【００２９】
ここで、用紙幅方向は、装置筐体２から用紙Ｐが排出される方向である排紙方向（図１に示す飛翔経路Ｒ）に直交する方向である。なお、図１に示す飛翔経路Ｒは、あくまで一例であり、排紙台１１に積載された用紙Ｐの枚数が増えてきた状態では、用紙Ｐは、後述するエンドフェンス１４に突き当たる位置まで飛翔せず、排紙台１１に積載された用紙Ｐのうち最上部の用紙Ｐに沿って排紙方向に進むこともある。また、飛翔経路Ｒは用紙Ｐの排紙速度によって異なり、例えば、排紙速度が速いほど用紙Ｐがエンドフェンス１４に突き当たる位置が高くなる。
【００３０】
図１に示すように、排紙積載部１０は、排紙台１１の積載面が用紙Ｐの排紙方向に進むほど下方に位置するように水平面に対して傾斜している。但し、排紙台１１の積載面は、水平であってもよいし、或いは、用紙Ｐの排紙方向に進むほど上方に位置するように水平面に対して傾斜していてもよい。
【００３１】
図２に示す１対のサイドフェンス１２，１３は、装置筐体２から排出された用紙Ｐの用紙幅方向における位置を規制する。サイドフェンス１２とサイドフェンス１３とは、用紙Ｐのサイズに合わせて、用紙幅方向に互いに接近する方向及び互いに離隔する方向に連動してスライド可能に配置されている。なお、サイドフェンス１２，１３には、後述する用紙揃え部１９の突出片１９ａを貫通させるための貫通孔や、飛翔する用紙Ｐの下方の空気を逃がすための貫通孔が設けられている。
【００３２】
エンドフェンス１４は、装置筐体２から排出された用紙Ｐの排紙方向における位置を規制する。エンドフェンス１４は、用紙Ｐのサイズに合わせて排紙方向にスライド可能に配置されている。エンドフェンス１４には、装置筐体２から排出されて飛翔する用紙Ｐの先端が突き当てられる。
【００３３】
１対の第２のガイド１５，１６及び１対の第３のガイド１７，１８は、装置筐体２から排出された用紙Ｐの飛翔経路Ｒの上方に配置され用紙Ｐの浮き上がりを防止するガイドの一例である。第２のガイド１５，１６及び第３のガイド１７，１８は、装置筐体２から排出される全ての用紙Ｐをガイドするのではなく、外気の気流、用紙Ｐのカールの状態、サイドフェンス１２，１３の位置不良、高速排紙などによって、通常の飛翔経路Ｒから外れて浮き上がった用紙Ｐの上面又は用紙幅方向の両端をガイドする。
【００３４】
一例ではあるが、第２のガイド１５，１６及び第３のガイド１７，１８は、平板形状を呈し、サイドフェンス１２，１３の上端に水平に設けられている。また、第２のガイド１５と第２のガイド１６とは、サイドフェンス１２，１３から用紙幅方向に互いに接近するように延び、第３のガイド１７と第３のガイド１８とは、サイドフェンス１２，１３から用紙幅方向に互いに接近するように延びる。
【００３５】
なお、第２のガイド１５，１６は、図１に示すように、排紙台１１に積載される用紙Ｐの鉛直上方（或いは、水平に対して傾斜した積載面に直交する方向における用紙Ｐの上方）に位置する。また、第２のガイド１５，１６は、サイドフェンス１２，１３から排紙方向に突出することで、エンドフェンス１４に突き当てられるまで用紙Ｐをガイド可能である。
【００３６】
第３のガイド１７，１８は、第２のガイド１５，１６よりも排紙方向の反対側に配置され、サイドフェンス１２，１３から排紙方向の反対側に突出する。第３のガイド１７，１８は、排紙台１１に積載される用紙Ｐの鉛直上方（或いは、水平に対して傾斜した載置面に直交する方向における用紙Ｐの上方）には位置しない。
【００３７】
図４に示すように、第２のガイド１５，１６と第３のガイド１７，１８との両方、又は、排紙台１１に積載された用紙Ｐの上方に位置する第２のガイド１５，１６のみは、例えばヒンジ１５ａ，１６ａ，１７ａ，１８ａを有することで、用紙Ｐの浮き上がりを防止する図２に示す位置（第１の位置）と、この位置から例えばサイドフェンス１２，サイドフェンス１３の用紙幅方向における外側に退避した二点鎖線で示す位置（第２の位置）とに回動可能（移動可能）であるとよい。また、第２のガイド１５，１６及び第３のガイド１７，１８は、サイズ、坪量、排紙速度等が異なる多種多様な用紙Ｐに適した任意の角度で保持可能であるとよい。
【００３８】
但し、第２のガイド１５，１６及び第３のガイド１７，１８は、移動不能にサイドフェンス１２，１３又は他の部材に設けられていてもよい。なお、第２のガイド１５，１６及び第３のガイド１７，１８の回動は、モータ等の駆動手段（駆動アクチュエータ）の駆動によるものであってもよいが、印刷装置１を簡素な構成にするためには、ユーザの手動で回動可能であることが望ましい。また、第２のガイド１５，１６及び第３のガイド１７，１８は、サイドフェンス１２，１３から用紙幅方向の中心に向かって突出する長さを可変とするために、サイドフェンス１２，１３に対して用紙幅方向に移動可能であってもよい。また、第２のガイド１５，１６及び第３のガイド１７，１８は、上下方向に移動可能であってもよい。
【００３９】
また、図４に示すように、第２のガイド１５，１６及び第３のガイド１７，１８は、用紙Ｐに点接触可能に配置されたスターホイル１５ｂ，１６ｂ，１７ｂ，１８ｂを有するとよい。このスターホイル１５ｂ，１６ｂ，１７ｂ，１８ｂは、用紙Ｐの浮き上がりを防止する位置にある第２のガイド１５，１６及び第３のガイド１７，１８から下方に突出する。また、スターホイル１５ｂ，１６ｂ，１７ｂ，１８ｂは、先端が尖った歯を複数有することで、用紙Ｐの上面又は用紙幅方向の両端に点接触する。スターホイル１５ｂ，１６ｂ，１７ｂ，１８ｂは、例えば用紙幅方向に平行な回転軸を中心に回転可能に配置されていることが望ましい。
【００４０】
また、第２のガイド１５，１６及び第３のガイド１７，１８は、用紙Ｐに接触し得る面である底面に用紙Ｐの印刷面のインクが転写されるのを抑制するために、撥水コーティング等の再転写抑制部が設けられているとよい。
【００４１】
図２に示すように、例えば４つの用紙揃え部１９は、それぞれサイドフェンス１２，１３の用紙幅方向における外側に配置されて互いに対向する１対の用紙揃え部１９，１９が排紙方向に２対並んで配置されている。それぞれの用紙揃え部１９は、サイドフェンス１２，１３の貫通孔を貫通する複数の突出片１９ａを含む。複数の突出片１９ａは、上下方向に並んで配置されている。また、突出片１９ａは、用紙Ｐを上述のようにＵ字形状とするために、用紙幅方向の中心に向かって下方に傾斜している。なお、突出片１９ａは、用紙Ｐの重みでサイドフェンス１２，１３から貫通しない位置に退避するように回転する。
【００４２】
図１及び図３に示す１対の第１のガイド２１，２２は、装置筐体２の側面に設けられている。第１のガイド２１，２２は、板状を呈し、下端に近づくほど装置筐体２から排紙方向に離隔するように傾斜する傾斜部２１ａ，２２ａを下部に有する。
【００４３】
第１のガイド２１，２２は、第２のガイド１５，１６及び第３のガイド１７，１８と同様に、装置筐体２から排出された用紙Ｐの飛翔経路Ｒの上方に配置され用紙Ｐの浮き上がりを防止するガイドの一例である。また、第１のガイド２１，２２は、第２のガイド１５，１６及び第３のガイド１７，１８と同様に、全ての用紙Ｐをガイドするのではなく、通常の飛翔経路Ｒから外れて浮き上がった用紙Ｐの上面又は用紙幅方向の両端をガイドする。
【００４４】
第１のガイド２１，２２は、装置筐体２に沿って上下左右にスライド可能に配置され、用紙Ｐの浮き上がりを防止する位置（第１の位置）と、この位置から退避した位置（第２の位置）とに移動可能であるとよい。但し、第１のガイド２１，２２は、移動不能に装置筐体２に設けられていてもよい。なお、第１のガイド２１，２２の移動は、モータ等の駆動手段（駆動アクチュエータ）の駆動によるものであってもよいが、印刷装置１を簡素な構成にするためには、ユーザの手動で移動可能であることが望ましい。また、傾斜部２１ａ，２２ａは、装置筐体２の側面に沿う位置へ折り畳み可能であることが望ましい。
【００４５】
また、第１のガイド２１，２２は、第２のガイド１５，１６及び第３のガイド１７，１８と同様に、用紙Ｐに点接触可能に配置されたスターホイルを有するとよい。また、第１のガイド２１，２２は、第２のガイド１５，１６及び第３のガイド１７，１８と同様に、用紙Ｐに接触し得る面である傾斜部２１ａ，２２ａの底面に用紙Ｐの印刷面のインクが転写されるのを抑制するために、撥水コーティング等の再転写抑制部が設けられていることが望ましい。
【００４６】
なお、本実施の形態では、ガイドの一例として、第１のガイド２１，２２，第２のガイド１５，１６、及び第３のガイド１７，１８について説明したが、ガイドは、第１のガイド２１，２２と、第２のガイド１５，１６と、第３のガイド１７，１８とのうちの少なくとも１つであってもよい。また、第１のガイド２１，２２，第２のガイド１５，１６、及び第３のガイド１７，１８は、それぞれ１対で配置されているが、例えば第２のガイド１５と第２のガイド１６とが排紙方向の先端で連結された平面視Ｕ字形状を呈する場合などには、１対ではなく単一の部材として配置されていてもよい。また、例えば、外気の気流の影響によって用紙Ｐの浮き上がりが排紙方向に対して左右のいずれか一方のみで生じやすい場合などには、左右１対ではなく左右の一方のみにガイドが配置されていてもよい。また、第２のガイド１５，１６と第３のガイド１７，１８とが一体に設けられていてもよい。
【００４７】
以上説明した本実施の形態では、印刷装置１は、装置筐体２と、この装置筐体２から排出された用紙Ｐの落下位置に配置される排紙台１１と、装置筐体２から排出された用紙Ｐの飛翔経路Ｒの上方に配置され、用紙Ｐの浮き上がりを防止するガイド（第１のガイド２１，２２、第２のガイド１５，１６、及び第３のガイド１７，１８）とを備える。そのため、ガイドが配置された簡素な構成によって、外気の気流、用紙Ｐのカールの状態、サイドフェンス１２，１３の位置不良、高速排紙などに起因する用紙Ｐの浮き上がりを防止することができる。また、用紙Ｐの浮き上がりを防止することができるため、用紙Ｐの浮き上がりに起因して特に高速排紙時（例えば１５０ｐｐｍ（page per minute））に生じやすい、用紙Ｐのエンドフェンス１４への寄りかかりやサイドフェンス１２，１３及びエンドフェンス１４からのすり抜けを防止することができる。更には、用紙Ｐの浮き上がりを防止することができるため、用紙Ｐが浮き上がって落下するまでの時間が延びることに起因して、後に排出される用紙Ｐの前端が先に排出される用紙Ｐの後端に追突し、用紙が散乱することも防止することができる。よって、本実施の形態によれば、簡素な構成で用紙Ｐを排紙台１１に整然と積載することができる。更には、先に排出される用紙Ｐの後端に、後に排出される用紙Ｐの前端が追突することを防止することができるため、ジャムとなって印刷が停止することも防止することができる。なお、ガイドは、全ての用紙Ｐをガイドするのではなく、通常の飛翔経路Ｒから外れて浮き上がった用紙Ｐの上面又は用紙幅方向の両端をガイドすることが望ましい。また、ガイドは、どの用紙Ｐにも接触しない場合であっても、外気の気流を抑制することで、用紙Ｐの浮き上がりを防止することができる。
【００４８】
また、本実施の形態では、ガイドは、用紙Ｐの浮き上がりを防止する図２及び図４に実線で示す位置（第１の位置）と、この位置から退避した図４に二点鎖線で示す位置（第２の位置）と、に移動可能に配置されている。そのため、ガイドを退避させる簡単な調整で、ユーザが排紙台１１から用紙Ｐを容易に取り出すことができる。更には、モータ等の駆動手段（駆動アクチュエータ）を用いずに、ガイドが手動で移動可能に配置されている場合には、印刷装置１を簡素な構成にすることができる。なお、ガイドの角度が任意の角度で保持される場合には、サイズ、坪量、排紙速度等が異なる多種多様な用紙Ｐに適した角度で、より確実に用紙Ｐの浮き上がりを防止することができる。
【００４９】
また、本実施の形態では、印刷装置１は、飛翔経路Ｒに直交する用紙幅方向における用紙Ｐの位置を規制するサイドフェンス１２，１３を更に備え、ガイド（第２のガイド１５,１６及び第３のガイド１７，１８）は、サイドフェンス１２，１３に設けられている。そのため、飛翔経路Ｒにおける用紙Ｐをガイドするために、サイドフェンス１２，１３とは独立した位置にガイドが配置される場合と比較して、飛翔経路Ｒの上方にガイドを配置するための脚部などの別部材の配置を省略することができる。また、サイドフェンス１２，１３が用紙幅方向に移動可能である場合には、用紙Ｐのサイズに合わせて、サイドフェンス１２，１３とともにガイドを移動させることができる。したがって、印刷装置１をより一層簡素な構成にすることができる。
【００５０】
また、本実施の形態では、ガイドは、用紙Ｐに点接触可能に配置されたスターホイル１５ｂ，１６ｂ，１７ｂ，１８ｂを有する。そのため、ガイドが用紙Ｐの印刷面に接触した場合の印刷品質の劣化を抑制することができる。
【００５１】
また、本実施の形態では、第１のガイド２１，２２及び第３のガイド１７，１８は、用紙Ｐの上方に位置しないため、用紙Ｐの上方に位置する第２のガイド１５，１６と比較して、ガイドを退避させなくとも、ユーザが排紙台１１から用紙Ｐを容易に取り出すことができる。
【００５２】
また、本実施の形態では、第２のガイド１５，１６は、サイドフェンス１２，１３から排紙方向に突出する。これにより、エンドフェンス１４に突き当てられるまで用紙Ｐをガイド可能であるため、用紙Ｐの浮き上がりに起因する、用紙Ｐのエンドフェンス１４への寄りかかりやサイドフェンス１２，１３及びエンドフェンス１４からのすり抜けをより一層防止することができる。
【００５３】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００５４】
［付記１］
装置筐体と、
前記装置筐体から排出された用紙の落下位置に配置される排紙台と、
前記装置筐体から排出された前記用紙の飛翔経路の上方に配置され、前記用紙の浮き上がりを防止するガイドと
を備えることを特徴とする印刷装置。
【００５５】
［付記２］
前記ガイドは、前記用紙の浮き上がりを防止する第１の位置と、当該第１の位置から退避した第２の位置と、に移動可能に配置されている
ことを特徴とする付記１記載の印刷装置。
【００５６】
［付記３］
前記飛翔経路に直交する用紙幅方向における前記用紙の位置を規制するサイドフェンスを更に備え、
前記ガイドは、前記サイドフェンスに設けられている
ことを特徴とする付記１又は２記載の印刷装置。
【００５７】
［付記４］
前記ガイドは、前記用紙に点接触可能に配置されたスターホイルを有する
ことを特徴とする付記１から３のいずれか記載の印刷装置。
【符号の説明】
【００５８】
１      印刷装置
２      装置筐体
３      給紙部
３ａ      給紙台
３ｂ      給紙ローラ
４      搬送部
５      印刷部
６      操作パネル部
７      画像読取部
８      制御部
９      ウイング
１０      排紙積載部
１１      排紙台
１２，１３      サイドフェンス
１４      エンドフェンス
１５，１６      第２のガイド
１５ａ，１６ａ，１７ａ，１８ａ      ヒンジ
１５ｂ，１６ｂ，１７ｂ，１８ｂ      スターホイル
１７，１８      第３のガイド
１９      用紙揃え部
１９ａ      突出板
２１，２２      第１のガイド
２１ａ，２２ａ      傾斜部
Ｐ      用紙
Ｒ      飛翔経路
【図１】
2019131303.tif 000003
【図２】
2019131303.tif 000004
【図３】
2019131303.tif 000005
【図４】
2019131303.tif 000006